(57)【要約】      （修正有）【課題】特別な施設を必要とせず、冬場の屋外の雪面上でより手軽に誰でも楽しめる滑走遊戯具及びその遊戯用セットを提供する。【解決手段】板状のパネル１７と、パネルの下面長手方向に沿って平行に少なくとも２本設けられたランナー１８と、パネルの上面に連結されたウエイト１１と、ウエイトの上部に取り付けられたグリップ１２とを備えた滑走遊戯具１０を、略平滑状の雪面上に、紐状部材をコ字形状の留め具で押し付け固定することで設置された進入禁止ラインと組み合わせる。【選択図】図１
0003184101.tif 000002
【実用新案登録請求の範囲】
【請求項１】
略平滑状の雪面上に投入して滑走させる滑走遊戯具であって、
板状のパネルと、前記パネルの下面長手方向に沿って平行に少なくとも２本設けられたランナーと、前記パネルの上面に連結されたウエイトと、前記ウエイトの上部に取り付けられたグリップと、を備えることを特徴とする滑走遊戯具。
【請求項２】
前記パネルと前記ウエイトとを連結する手段は、前記パネルの長手方向に沿った前記ウエイトの位置を調節するウエイト調節機構を備えることを特徴とする請求項１に記載の滑走遊戯具。
【請求項３】
前記パネルは、前記パネルの前端部が上方へ湾曲して形成されたことを特徴とする請求項１又は２に記載の滑走遊戯具。
【請求項４】
請求項１から３のいずれかに記載の滑走遊戯具と、前記略平滑状の雪面上に、紐状部材をコ字形状の留め具で押し付け固定することで設置される進入禁止ラインとを組み合わせたことを特徴とする遊戯用セット。
【考案の詳細な説明】
【技術分野】
【０００１】
本考案は、冬場における屋外の雪面上で遊戯又は競技を容易に行うことを可能とする滑走遊戯具及びその遊戯用セットに関するものである。
【背景技術】
【０００２】
従来、冬場における屋外で行われる遊戯又は競技として、カーリングがある。カーリングは氷上で行われる競技の一種であり、ストーンと呼ばれる略円盤状に加工された重い石を滑走させ、進路を箒で掃いて滑りをよくしたり、方向を変えたりしながら、氷上に設置されたリンク上のハウスと呼ばれる円の中心に近づけて得点を競うものである。
しかしながら、カーリングは氷上に設置されたリンクで行われるため、遊戯又は競技を行う場所が限られ手軽に楽しめないという問題があった。また、カーリングに使用されるストーンは、約２０ｋｇの重量があり、特に体力的に不利である子供や老人などは手軽に楽しめないという問題があった。
【０００３】
そこで、室内又は屋外の平滑な盤面を有する場所で、誰でも手軽に楽しめるカーリング又はカーリングを模した様々な遊戯具又は競技具が提案されている。たとえば、特許文献１では、中心軸を有する本体と、前記中心軸周りに等間隔に、かつ該中心軸から等距離に、前記本体の下部に固定された３つの自在キャスターと、前記本体の上部に取り付けられたハンドルと、を備えることを特徴とするフロアカーリング用遊戯具が提案されている。
【０００４】
また、特許文献２では、滑走基体の下面に水平方向に対する滑走移動を可能とする滑走ローラを設けるとともに、該滑走基体の上面に水平方向への移動操作は可能とするが把握保持による持ち上げは抑制する操作部を設けることで擬似ストーンとし、また、棒状をした操作部の先端部に、操作部の縁部形状に適合し係止して押し出すことが可能な押し出し部を設けることで操作用スティックとし、操作部を掌や指で押し出し操作するか操作用スティックを用いて押し出し操作することで、擬似ストーンを床面で滑走移動させる室内カーリング用擬似ストーンと該擬似ストーン操作用スティックが提案されている。
【先行技術文献】
【特許文献】
【０００５】
【特許文献１】特開２００１−７９１３３号公報
【特許文献２】特開２００２−７８８３７号公報
【考案の概要】
【考案が解決しようとする課題】
【０００６】
しかしながら、前述した従来技術では、本体又は擬似ストーンを滑走移動させるために、それぞれの下部にはキャスターを有していることから、遊戯又は競技を行う場所は体育館などのキャスターが動作可能な平滑な床面を有する特別な施設に限られてしまうという問題がある。特に冬場の屋外の雪面のような多少凹凸が残る場所で遊戯又は競技を行うことは困難である。
【０００７】
そこで、本考案の目的は、特別な施設を必要とせず、冬場の屋外の雪面上でより手軽に誰でも楽しめる滑走遊戯具及びその遊戯用セットを提供することを目的とする。
【課題を解決するための手段】
【０００８】
上記目的を達成するために、本考案の一態様は、略平滑状の雪面上に投入して滑走させる滑走遊戯具であって、板状のパネルと、前記パネルの下面長手方向に沿って平行に少なくとも２本設けられたランナーと、前記パネルの上面に連結されたウエイトと、前記ウエイトの上部に取り付けられたグリップと、を備えることを特徴とする。
【０００９】
また、前記パネルと前記ウエイトとを連結する連結手段は、長手方向に沿った前記ウエイトの位置を調節するウエイト位置調節機構を備えることが好適である。
【００１０】
さらに、前記パネルの前端部は上方へ湾曲して形成されることが好適である。
【００１１】
また、本考案の別の態様は、請求項１から３のいずれかに記載の滑走遊戯具と、前記略平滑状の雪面上に、紐状部材をコ字形状の留め具で押し付け固定することで設置される進入禁止ラインとを組み合わせた遊戯用セットである。
【考案の効果】
【００１２】
本考案によれば、以下のような効果を奏する。
１）本考案の一態様である滑走遊戯具は、板状のパネルと、パネルの下面長手方向に沿って平行に少なくとも２本設けられたランナーと、パネルの上面に連結されたウエイトと、ウエイトの上部に取り付けられたグリップとを備えることで、略平滑状の雪面上に滑走体を投入して容易に滑走させることが可能となる。
２）パネルとウエイトとを連結する手段は、ウエイトの位置を前後に調節するウエイト位置調節機構を備えるので、滑走遊戯具の操作性を遊戯者の技量に合わせて変更することを可能とする。
３）パネルの前端部が上方へ湾曲して形成されるので、雪面上を容易に滑走することを可能とする。
４）滑走遊戯具を組み合わせた遊戯用セットにおいて、滑走遊戯具が投入される進入禁止ラインは、略平滑状の雪面上に紐状部材をコ字形状の留め具で押し付け固定することで設置されるので、雪面上であれば容易に遊戯場を設置することを可能とし、本考案の滑走遊戯具を用いて容易に遊戯することを可能とする。
【図面の簡単な説明】
【００１３】
【図１】本考案の一態様である滑走遊戯具の実施形態の一構成例を説明する斜視図である。
【図２】本考案の一態様である滑走遊戯具の実施形態の一構成例を説明する平面図である。
【図３】本考案の一態様である滑走遊戯具の実施形態の一構成例を説明する底面図である。
【図４】本考案の一態様である滑走遊戯具の実施形態の一構成例を説明する図２のＡ−Ａ線断面図である。
【図５】本考案の一態様である滑走遊戯具の実施形態の一構成例を説明する図である。（ａ）は左側面図示している。（ｂ）は正面図を示している。（ｃ）は右側面図を示している。
【図６】本考案の一態様である滑走遊戯具の第１の遊戯方法を示す上方から見た模式図である。
【図７】本考案の一態様である滑走遊戯具の第２の遊戯方法を示す上方から見た模式図である。
【図８】本考案の一態様である滑走遊戯具の第３の遊戯方法を示す上方から見た模式図である。
【考案を実施するための形態】
【００１４】
以下、本考案に係る滑走遊戯具及びその遊戯用セットの実施形態を一構成例を示した図面を参照して具体的に説明する。
図１から図５は、本考案の一態様である滑走遊戯具の実施形態の一構成例を説明する図であり、図１は斜視図を、図２は平面図を、図３は底面図を、図４は図２のＡ−Ａ線断面図を、図５の（ａ）は左側面図を、（ｂ）は正面図を、（ｃ）は右側面図をそれぞれ示している。
【００１５】
図１から図５に示すように、本考案による滑走遊戯具１０は、板状のパネル１７と、パネルの上面１７ａに連結されたウエイト１１から構成されている。
パネル１７は、進行方向に対して縦長で略長方形の板状体であり、下面長手方向に沿って平行にランナー１８が少なくとも２本設けられている。ここで、進行方向とは、図２において矢印で示した方向である。
パネル１７は、前端部１７ｃが図５の（ｄ）に示すように上方へ湾曲状に迫り上がって形成されている。さらに、パネル１７の後端部１７ｄは、前端部１７ｃ、と同様に上方へ湾曲状に迫り上がって形成されると好適である。
【００１６】
また、パネル１７は、ウエイト位置調節機構を有しており、パネル１７の上面１７ａに連結されるウエイト１１の位置を調節することが可能である。ここで、ウエイト位置調節機構とは、図１から図３に示すように、パネル１７には、上面１７ａから下面１７ｂへ貫通したネジ孔１９が、長手方向に沿って所定の間隔をもって複数形成されており、このネジ孔１９に沿ってウエイトの位置を、遊技者の所望の位置に調節するものである。なお、ウエイトとパネルの連結手段及び位置調節機構はこれに限られない。
パネル１７に用いられる素材としては、木材又は合成樹脂等を用いるのが好適である。
【００１７】
ランナー１８は、図３に示すようにパネル１７の長手方向の側辺１７ｅに沿って所定の間隔をあけて少なくとも２本設けられるのが好適である。ランナー１８は、全体が線状又は棒状で、下面は平坦な滑走面１８ｃである。滑走面１８ｃの長手方向に沿った縁に略直角状のエッジ１８ｄがある。また、図５（ｄ）に示すように、パネル１７の前端部１７ｃの湾曲に伴い、ランナー１８の先端部１８ａも上方へ湾曲状に迫り上がって形成され、ランナー１８の後端部１８ｄは、パネル１７の後端部１７ｄの湾曲に伴い、上方へ湾曲状に迫り上がって形成されるのが好適である。ランナー１８により、滑走遊戯具１０は直進性を得ることが可能となる。
ランナー１８に用いられる素材としては、木材又は合成樹脂又は金属等を用いるのが好適である。
ウエイト１１は、図１に示すように、所定の厚さをもつ略円盤状であり、図４に示すように、ウエイト１１の上部１３にグリップ台１５がネジ１６ａで固定されている。ただし、グリップ台１５の固定手段はネジに限るものではない。また、グリップ台１５の上部には、略Ｌ字形状のグリップ１２が一体形成されている。ここで、グリップ１２の形状は、これに限らず、例えば略コ字形状などとしてもよい。ウエイト１１の直径は、図５（ａ）及び図５（ｃ）に示すように、パネル１７の短手方向の幅と同等程度とするのが好適である。
【００１８】
ウエイト１１とグリップ台１５とグリップ１２に用いられる素材としては、木材又は合成樹脂又は金属等を用いるのが好適である。但し、図４では、ウエイト１１の内部は空洞ではなく、重鎮された状態を示しているが、滑走遊戯具１０の全体の重みが約２ｋｇから３ｋｇ程度になるように調整されていれば、ウエイト１１の内部に空洞があってもよい。
【００１９】
ウエイト１１は、図４に示すように、ウエイト位置調節機構によりパネル１７と連結されている。これにより、図５（ｂ）に示すように、ウエイト１１の位置を前後に調節することが可能となる。ウエイト１１の位置の調節は、滑走遊戯具１０を遊戯者が操作する上での難易性を変化させることができる。例えば、ウエイト１１を前方に位置させるように調整すると、滑走時の直進性が向上すると想定される。また、ウエイト１１を後方に位置させると、滑走時にパネル１７の前端１７ｃにぶれが生じることが想定される。
【００２０】
次に、本考案の一態様である滑走遊戯具の遊戯方法の例について説明する。図６から図８は、本考案の一態様である滑走遊戯具の様々な遊戯方法を示す上方から見た模式図である。図６は、第１の遊戯方法を、図７は、第２の遊戯方法を、図８は、第３の遊戯方法をそれぞれ示している。
【００２１】
（１）第１の遊戯方法
図６に示すように、略平滑状にならされた雪面上に、進入禁止ライン２０を円形状に設け、さらに、進入禁止ライン２０の内周の中心部に、大小の複数の同心円を個組み合わせて構成されたターゲットサークル３０を設ける。遊戯者は、進入禁止ライン２０の外周から、ターゲットサークル３０の中心部に向けて滑走遊戯具１０を投入して滑走させる。ターゲットサークル３０には、滑走遊戯具１０が止まった場所によって遊戯者に得点を与えるように、それぞれの円に予め点数が割り当てられている。例えば、ターゲットサークル３０の中心部により近い円にはより高い得点を割り当てるようにする。ここで、進入禁止ライン２０は、ターゲットサークル３０の同心円であり、ターゲットサークル３０の外周から約１０から１５メートル程度距離をもって設置されるのが好適である。
遊戯者は、複数人あるいは複数人を一つの団体とした複数団体の間で得点を競い合うようにするとよい。  
【００２２】
（２）第２の遊戯方法
図７に示すように、略平滑状にならされた雪面上に、進入禁止ライン４０を方形状に設け、さらに、進入禁止ライン２０の内周の中心部に、前述の予め点数が割り当てられたターゲットサークル３０を設ける。遊戯者は、進入禁止ライン４０の外周の対向する側又は一方の側から、ターゲットサークル３０の中心部に向けて滑走遊戯具１０を投入し滑走させる。前述と同様に、滑走遊戯具１０が止まった場所によって遊戯者に得点を与えるようにする。ここで、進入禁止ライン４０は、ターゲットサークル３０の中心部から等距離の対向面を有する方形状とし、ターゲットサークル３０の外周から約１０から１５メートル程度距離をもって設置されるのが好適である。
遊戯者は、前述と同様に、複数人あるいは複数人を一つの団体とした複数団体の間で得点を競い合うようにするとよい。  
【００２３】
（３）第３の遊戯方法
図８に示すように、略平滑状にならされた雪面上に、進入禁止ライン５０を直線状に設ける。遊戯者は、進入禁止ライン５０から滑走遊戯具１０を投入し滑走させ、一投の最長滑走距離５１を競う。
遊戯者は、前述と同様に、複数人あるいは複数人を一つの団体とした複数団体の間で得点を競い合うようにするとよい。
【００２４】
本考案の滑走遊戯具１０を滑走させる遊戯場とする場所は、例えば、学校のグラウンド、役場や農協などに併設されている駐車場や広場を利用するのが好適である。遊戯場とする場所の積雪を除雪し、地面に対して雪面がすれすれの厚さになるように、略平滑状にならす。但し、厚雪状態であれば、雪面上に多少の凹凸があってもよい。
【００２５】
進入禁止ライン２０、４０、５０は、例えば、図６に示すように、略平滑状の雪面上に、紐状部材をコ字形状の留め具２１で押し付け固定することで設置されるのが好適である。また、進入禁止ライン２０、４０、５０は、雪面上に紐が有する幅の溝を形成し、形成された溝に紐状部材を埋設してコ字形状の留め具２１で押し付け固定することで設置されてもよい。このような好適な進入禁ライン２０、４０、５０と滑走遊戯具１０とを組み合わせた遊戯用セットもまた本考案に係るものである。また、進入禁止ライン２０、４０、５０は、カラーマーカースプレーなどを使用して雪面上に直接描いてもよい。
【００２６】
前述の第１の遊戯方法及び第２の遊戯方法のターゲットサークル３０は、滑走遊戯具１０の滑走の邪魔にならないようにカラーマーカースプレーなどを使用して描いくのが好適である。また、前述の進入禁止ライン２０、４０、５０と同様に、雪面上に紐状部材をコ字形状の留め具２１で押し付け固定することで設置されるたり、雪面上に紐が有する幅の溝を形成し、形成された溝に紐状部材を埋設してコ字形状の留め具２１で押し付け固定することで設置されてもよい。
【００２７】
本考案の滑走遊戯具及びその遊戯用セットによれば、特別な施設は必要としないので、雪面上であれば容易に遊戯場を設置することを可能とする。また、遊戯者はグリップ１２を支持して、ボーリングのように略平滑状の雪面上を滑らせるようにして投入すればよく、公知のカーリングの様なスイパーは必要としないので、冬場の屋外の雪面上で老人や子供を問わず誰でも手軽に楽しむことが可能である。
【符号の説明】
【００２８】
１０  滑走遊戯具
１１  ウエイト
１２  グリップ
１３  上部
１４  下部
１５  グリップ台
１６ａ、１６ｂ  固定ネジ
１７  パネル 
１８  ランナー
１９  ネジ孔
２０、４０、５０  進入禁止ライン
２１  留め具
３０  ターゲットサークル
【図１】
0003184101.tif 000003
【図２】
0003184101.tif 000004
【図３】
0003184101.tif 000005
【図４】
0003184101.tif 000006
【図５】
0003184101.tif 000007
【図６】
0003184101.tif 000008
【図７】
0003184101.tif 000009
【図８】
0003184101.tif 000010